(57)【要約】【課題】  書籍を破壊することなく正確に撮影でき、収納や持ち運びが容易である、資料撮影装置の提供。【解決手段】  本体が、折りたたみ式通い箱や折りたたみ式コンテナーのような薄く折りたたみ可能な構造体の本体であって、上面部と底面部とに連結されている連結部が可動して、上面部と底面部が近づき、本体が薄く折りたためる構造体となっており、本体の上面部に透明の板を使用し、底面部にエリアセンサを撮影に使うカメラを設置して、カメラ機能のシャターボタン等が上方から操作できるよう設置し、被写体を前記透明の板越しに底面部から撮影できるようにし、撮影後は連結部が可動して、薄く折りたためて、収納や持ち運びを容易にする。【選択図】  図１
2014175923.tif 000002
【特許請求の範囲】
【請求項１】
資料撮影装置であって、上面部と底面部と、前記上面部と前記底面部とに連結されている連結部を備え、前記連結部は可動して折りたたむことができ、前記上面部は少なくとも一部が透明体で構成され、前記底面部に前記上面部に載せた被写体を撮影するカメラの設置場所が設けられ、前記被写体を前記透明体越しに前記底面部から撮影できるようにしたことを特徴とする資料撮影装置。
【請求項２】
請求項１に記載の資料撮影装置において、前記底面部にカメラを設置したことを特徴とする資料撮影装置。
【発明の詳細な説明】
【技術分野】
【０００１】
本発明は、書籍や立体物等をカメラで撮影する資料撮影装置に関する。
【背景技術】
【０００２】
書籍等の資料を撮影する装置としては、大きく分けると２つタイプがある。１つは、書籍を見開きにして透明の板に押圧して、ラインセンサを数秒から数十秒にわたり走査することによって、透明の板越しに撮影するフラットベッド方式のスキャナや複写機（例えば、特許文献１参照）、あるいは書類を１枚ずつ数秒から数十秒動かしてラインセンサに撮影させる自動給紙装置（ＡＤＦ）方式のスキャナや複写機（例えば、非特許文献１参照）などである。もう１つは、デジタルカメラ等で使われるエリアセンサを用いたカメラで、瞬時に書籍や立体物等の資料を撮影するタイプである（例えば、特許文献２参照）。
【０００３】
【特許文献１】特開平６−６５４６号公報
【特許文献２】特開平４−２３５４５５号公報
【特許文献３】特開２００５−３９８６６号公報
【特許文献４】特開２００９−１３４２８６号公報
【特許文献５】特開２００９−１３４２８６号公報
【特許文献６】特開２００６−３３３１６２号公報
【特許文献７】特開平０８−２９５３３６号公報
【特許文献８】特開平５−３０８５４７号公報
【非特許文献１】株式会社PFU「ScanSnap（スキャンスナップ）シリーズ」
【非特許文献２】株式会社ノバック「Simply Scan A3」型番 NV-PS501U
【非特許文献３】米国ION Audio「ISC02 Book Saver」（生産完了）
【非特許文献４】トラスコ中山株式会社「折りたたみコンテナ  スケルコン  ＴＳＫ-Ｃ５０」
【非特許文献５】カシオ計算機株式会社「マルチプロジェクションカメラYC-470」
【発明の概要】
【発明が解決しようとする課題】
【０００４】
ラインセンサを使うタイプの資料撮影装置においては、撮影に数秒から数十秒という長い時間がかかるデメリットがある。ラインセンサを使うフラットベッド方式のスキャナや複写機においては、書籍を見開きにして手で透明の板に押圧することで、書籍を平らにできるメリットがあるが、ラインセンサを数秒から数十秒間走査している撮影時間中に、手で押圧している書籍が動いて撮影画像がブレてしまうデメリットがある。また、書類の方を1枚ずつ動かしてラインセンサに撮影させる自動給紙装置（ＡＤＦ）方式のスキャナや複写機では、綴じられた書籍をそのままでは撮影することはできず、背表紙を刃物で裁断して、１枚ずつの状態にしなければ撮影できず、書籍の破損を伴わなくてはならず、図書館等公共の書籍の撮影はできないデメリットがある。
【０００５】
デジタルカメラ等で使われるエリアセンサを使うタイプにおいては、見開いた書籍を上からデジタルカメラで撮影する方法のものが多く販売されており（例えば、特許文献３（図６、図７）、特許文献４（図１０）、特許文献５（図７）、非特許文献２参照）、瞬時に撮影できることから書籍がブレることがなく、立体物や動画撮影もできるメリットがある。しかし書籍を撮影する際に、指で四隅を押さえていないと自然に書籍が閉じてしまったり、押さえている指が書籍と共に写り込んでしまったり、指で押さえても書籍を平面にしにくく、両手を使うとシャッターボタンが押せないなどのデメリットがある。また、室内の照明により書籍の上方にあるデジタルカメラの影が書類に写り込んでしまうことが多く、きれいに写せないデメリットがある。さらに、デジタルカメラは、被写体と近すぎるとピントが合わなかったり、広角レンズを使う場合の高コスト化や画質低下等の理由のために、被写体と数十センチメートル程度離れないと撮影できず、フラットベッド方式のスキャナと比べて薄くならず、装置全体が大きくなるというデメリットがあった。
【０００６】
デジタルカメラ等で使われるエリアセンサを使うタイプにおいては、書籍を平らに写しにくい等のデメリットを改善するために、透明の板とデジタルカメラが一体となって、書籍をくの字の台に見開きにして置き、デジタルカメラと一体となっているくの字の形の透明の板を上から押圧して、透明の板越しに撮影することで、指で四隅を押さえなくても平らな撮像面を得る装置が考案されている（例えば、非特許文献３参照）。それでも、デジタルカメラは、被写体と数十センチメートル程度離れないと撮影できないため、フラットベッド方式のスキャナと比べて薄くできず、装置全体が大きくなるというデメリットがあった。
【０００７】
さらに、デジタルカメラ等で使われるエリアセンサを使うタイプにおいては、装置全体が大きくなる等のデメリットを改善するために、反射ミラーを用いて、装置を薄型化する効果を求めたものがある（例えば、特許文献６参照）。それでも、反射ミラーを用いることから、部品点数増加による故障発生率の増加や、重くなって持ち運び性が悪い等のデメリットがある。
【０００８】
書籍撮影で主流のラインセンサを使うタイプのフラットベッド方式のスキャナは、撮影できる資料の大きさがＡ４用紙向けが主流で、本やノート、雑誌、カタログ、地図本など、見開きにするとＡ４を超えて撮影できない資料が非常に多く、実用上使えない場合が多い。Ａ３用紙対応のフラットベッド方式のスキャナも販売されているが、Ａ４用紙対応のものと比べ、主要部品であるラインセンサを長くしなければならない等の理由で、一般家庭用としては販売価格が非常に高額で、ラインセンサが走査する撮影時間も長くなる等のデメリットがある。また、反射ミラーを用いたもの（例えば、特許文献６参照）であっても、反射ミラーを大きくする必要があり、反射ミラーに角度を設けているために装置全体が大きくなる等のデメリットがでる。
【課題を解決するための手段】
【０００９】
本発明は、上面部と底面部と、前記上面部と前記底面部とに連結されている連結部を備え、前記連結部は可動して折りたたむことができ、前記上面部は少なくとも一部が透明体で構成され、前記底面部に前記上面部に載せた被写体を撮影するカメラの設置場所が設けられ、前記被写体を前記透明体越しに前記底面部から撮影できるようにしたことを特徴とする資料撮影装置を提供することで上記課題を解決する。
【００１０】
また、デジタルカメラ等で使われるエリアセンサを使うタイプのデメリットである、被写体と数十センチメートル離れないとピントが合わなかったり、広角レンズを使う場合の高コスト化や画質低下等の理由のために、カメラと被写体を離して装置全体が大きくなるという課題を解決するため、折りたたみ式通い箱や折りたたみ式コンテナーのような本体が薄く折りたたみ可能な構造体を参考にして、本体を設計することが望ましい。折りたたみ式通い箱や折りたたみ式コンテナーとは、例えば特開平０８−２９５３３６の図６の従来の折りたたみコンテナの概観斜視図や非特許文献４に示しているようなもので、本体の適所に凹部等やこの凹部等に嵌合する凸部等を設けるなどして、使用時に組み立てて箱型にし、収納時や持ち運び時には折りたたんで薄くできる構造体のものである。
【００１１】
折りたたみ式通い箱や折りたたみ式コンテナーのような折りたたみ可能な構造体を本体構造体の参考にして、本体の上面部に透明の板を使用し、底面部にカメラ機能のレンズ等を設置できるようにすることが望ましい。カメラ機能のレンズ等は底面部から上方を向いており、上面部の透明部分の板全体が写るようにすることが望ましい。カメラ機能のシャッターボタンや表示モニター等の各部は上方から操作できる向きで設置され、これらカメラ機能の各部は底面部に配置することもできるが、操作しやすいよう本体の連結部の板状もしくは柱状となっている部分に電線を通したり無線を使うなどして、上面部に設置してもよい。さらにリモコンを別部品で付属させたり携帯電話等の携帯端末から無線機能を使って操作できるようにしてもよい。書籍を撮影する際は、書籍の見開き面を透明の板に伏せて押圧することで書籍を平面にさせて透明の板越しに撮影する。撮影後は、本体の連結部を可動し、薄くたためて、収納や持ち運びを容易にする。
【００１２】
図１から６は、本体の第一形態を示している。図７から１２は、本体の第二形態を示している。図１３から１８は、本体の第三形態を示している。これらの形態は、本体の連結部が主に異なるが、本体の連結部の板状もしくは柱状となっている部分が可動して、薄く折りたためる構造体であることや、カメラ機能などについては共通したものとなっている。
【００１３】
第一形態は、折りたたみ式通い箱や折りたたみ式コンテナーと同じ形態で、連結部が多数あり、積み重ねてもつぶれにくい折りたたみ式通い箱や折りたたみ式コンテナーのように強度が最も高い形態である。非常に重たい資料を載せて撮影する場合や耐久性を求める場合に適している。本発明では通い箱やコンテナーのように物を入れる目的はなく、折りたたみの構造や仕組みを利用するものであり、第一形態の連結部の向かい合う２つの側面は、省いても強度上問題ない構造にもできるので、第二形態はこれを省くことで軽量化と、折りたたみ時の薄型化を可能としたものである。さらに第三形態では、第二形態の２つの連結部の板を柱状に細くし、カメラ機能の各部を分散配置し、上面部と底面部に折りたたみ時に柱を収納する溝を設け、第二形態よりもさらに薄く、軽量化したものである。第三形態の薄さについては、本体の上面部と底面部の２枚分の厚さにでき、薄さを競うことが多いデジタルカメラ２台分の厚さ程度か、デジタルカメラと違い表示モニターをレンズの後ろに付ける必要がなく分散して配置できることなどで、それ以下にも薄くすることができる。その他の形態に、連結部がパンタグラフ式ジャッキのようなパンタグラフ構造のものやじゃばら構造のものなどでもよい。いずれも上面部と底面部とに連結されている連結部が可動して、上面部と底面部が近づき、本体が薄く折りたためる構造体となっている。
【００１４】
カメラはフィルム式カメラなどいろいろな種類が使えるが、デジタルカメラ等で使われるエリアセンサを使うタイプのカメラが好ましい。
【発明の効果】
【００１５】
本発明は、ラインセンサを使うタイプのメリットである、書籍を見開きにして透明の板に押圧することで、撮像面を平らできるメリットを持ち、ラインセンサを使うタイプのデメリットである、撮影時間が数秒から何十秒間という長い時間がかかる点や、撮影時間中に手で押圧している書籍が動いて撮影画像がブレてしまうというデメリットがない。
【００１６】
書類を1枚ずつ動かしてラインセンサに撮影させる自動給紙装置（ＡＤＦ）方式のスキャナや複写機では、綴じられた書籍をそのままでは撮影することはできず、背表紙を刃物で裁断して、１枚ずつの状態にしなければ撮影できず、書籍の破損を伴わなくてはならなかったり、図書館等公共の書籍の撮影はできないデメリットがあったが、本発明は、そうしたデメリットがない。
【００１７】
本発明は、デジタルカメラ等で使われるエリアセンサを使うタイプのメリットである、瞬時に撮影できることから、書籍がブレることがない。エリアセンサはピントの合う距離範囲を広く取ることができるため、伏せた書籍の綴じられた中央部分が平面にならず、黒ずんだりピントがぼけて判読できないというラインセンサを使うスキャナや複写機によくあるデメリットが本発明の書籍撮影時にはない。汎用のデジタルカメラと同様に、立体物や動画撮影もできるというメリットがある。
【００１８】
本発明は、折りたたみ式通い箱や折りたたみ式コンテナーのような折りたたみ可能な構造体を使用しているため、デジタルカメラ等で使われるエリアセンサを使うタイプのデメリットである、被写体と数十センチメートル程度離れないとピントが合わない等のために、装置全体が大きくなり、使用後の収納性や持ち運び性が悪くなるというデメリットがない。ラインセンサを使うタイプの、フラットベッド方式のスキャナと同程度の薄さを持ち、反射ミラーを用いて装置の小型化したもの（特許文献６参照）よりも、収納性や持ち運び性がよい。
【００１９】
書籍撮影で主流のフラットベッド方式のスキャナは、ラインセンサという可動する精密部品をモーターや歯車で動かすため、持ち運び時の耐衝撃性が低いが、これと比べて本発明は、デジタルカメラあるいはデジタルカメラ搭載の携帯電話程度の耐衝撃性を持つ。さらにカメラ機能のズーム機能を省いたり、あるいは底面部から上面部までの距離が一定のためにピント調整機能を省くこともできるため、部品点数を減らすことができ、さらなる耐衝撃性を高めたり、故障の発生率を低く抑えることができる。
【００２０】
書籍撮影で主流のラインセンサを使うタイプのフラットベッド方式のスキャナあるいは自動給紙装置（ＡＤＦ）方式のスキャナはＡ４用紙対応がほとんどであるが、本発明は、Ａ４以上のより大きな資料を撮影したい場合、Ａ４の大きさを例えばＡ３の大きさに変えるための追加的費用が、連結部を長く伸ばしてカメラと被写体との距離を長くとる等だけでよく、より広い撮影範囲が得られるので、ラインセンサを使うタイプのスキャナと比べてわずかな追加的費用でＡ３用紙対応、あるいはそれ以上の大きさの撮影が可能となる。また、連結部を長く伸ばすほかに、より広角なレンズを使用する方法でもよい。これにより、見開きにするとＡ４を超える本やノート、雑誌、カタログ、地図本、あるいは建築図面、子供の描いた絵など大きな資料が撮影できる資料撮影装置を、従来のスキャナや複写機より大幅に低い製造コストで提供することができる。
【００２１】
ラインセンサを使うタイプの複写機は、コンビニエンスストアや学校、企業内などに多数あり、子供から高齢者まで使い方を慣れ親しんでいる。複写機で書籍等をコピーする作業動作は、書籍等を見開きにして透明の板に伏せて片方の手で押圧し、もう片方の手でコピーボタンを押し、ページをめくって再度同じ動作を繰り返す動作であるが、本発明はこうした複写機と同じ作業動作で書籍等を撮影するため、多くの人が慣れた作業動作となり、子供でも高齢者でも使いやすいメリットがある。
【００２２】
本発明は、これら上記のメリットを、すべて併せ持っている。
【００２３】
図１３から図１８のように、連結部の柱を細くすれば、折りたたんだ際の薄さは、本体の上面部と底面部の２枚分の厚さとなる。すなわち、薄さを競うことが多いデジタルカメラ２台分の厚さ程度か、カメラ機能の各部を分散して配置したり、上面部のカメラ機能の各部を薄くすることで、それ以下にも薄くすることができる。よって、ラインセンサを動かすためにモーターや歯車を使い書籍撮影で主流のフラットベッド方式のスキャナよりも薄くすることができる。
【発明を実施するための形態】
【００２４】
以下、図を参照して本発明を実施するための最良の形態について説明する。
第一形態の図１，２と、第二形態の図７，８と、第三形態の図１３，１４は、折りたたみ式の本体を広げて撮影する時の状態であり、書籍が透明の板２に伏せて載せられている。書籍の見開き面を上面部の透明の板２に伏せて押圧することで書籍を平面にさせて、透明の板越しに撮影する。
【００２５】
カメラは、エリアセンサを使う汎用のデジタルカメラと同様の機能を保有している。汎用のデジタルカメラの機能に加えて、記憶装置はSDカード等の記憶装置５３だけでなく、USB端子等の外部インターフェイスやＷｉ−Fｉ等の無線接続機能も設けてもよい。照明部５５は、汎用のデジタルカメラに付く瞬間的に瞬くフラッシュだけでなく、常時点灯するLED電球等でもよい。カメラ機能の各部の配置は、汎用のデジタルカメラのようなレンズの背面に配置されるのでなく、上方から操作しやすくすることや、薄型化をするために、分散して配置されている。
【００２６】
第一形態の図３，４と、第二形態の図９，１０と、第三形態の図１５，１６は、折りたたみ式の本体が折りたたまれる途中の状態であり、連結部の板状もしくは柱状となっている部分が可動する。
【００２７】
第一形態の図５，６と、第二形態の図１１，１２と、第三形態の図１７，１８は、折りたたみ式の本体が折りたたまれた状態である。第三形態では、側面の板を柱状に細くし、カメラ機能の各部を分散配置し、上面部と底面部に折りたたみ時に柱を収納する溝を設け、第二形態よりもさらに薄く、軽量化できる。第三形態の薄さについては、本体の上面部と底面部の２枚分の厚さにでき、薄さを競うことが多いデジタルカメラ２台分の厚さ程度か、デジタルカメラと違い表示モニターをレンズの背面に付けずに、カメラ機能の各部を分散して配置したり、上面部のカメラ機能の各部を薄くすることで、それ以下にも薄くすることができる。よって、デジタルカメラ搭載の携帯電話等の携帯端末が１センチメートルに満たない厚さなので、極めて薄い資料撮影装置を提供することができる。したがって、ラインセンサを走査するためモーターや歯車等を使用する書籍撮影で主流のフラットベッド方式のスキャナと比較して、はるかに薄くすることができる。
【００２８】
撮影する書籍や書類等は大きさがまちまちで、さらに書籍等が斜めに置かれることがあるが、自動的に書籍と背景の違いを認識して書籍部分のみを切り抜いたり、傾きを自動で補正する画像処理プログラムが存在する（例えば、非特許文献５参照）。また、魚眼レンズに代表されるような広角レンズを使用する際に生じる画像の歪みも、３６０度を一度に写せるカメラが平面写真に画像変換している事例のように、画像の歪みも自動で補正する画像処理プログラムが存在するので、これらを利用できる。
【００２９】
本発明は、特開平５−３０８５４７の書画提示装置に示されるような、プレゼンテーションや講義、セミナー、会議などでも使用できる。前記特開平５−３０８５４７が提示した従来の書画提示装置の課題、例えば書籍が平面にならず撮影しにくい等の課題を解消できる。
【図面の簡単な説明】
【００３０】
【図１】本発明の第一形態の使用時の斜視図である。
【図２】本発明の第一形態の使用時の正面図である。
【図３】本発明の第一形態の折りたたみ途中の斜視図である。
【図４】本発明の第一形態の折りたたみ途中の正面図である。
【図５】本発明の第一形態の折りたたみ時の斜視図である。
【図６】本発明の第一形態の折りたたみ時の正面図である。
【図７】本発明の第二形態の使用時の斜視図である。
【図８】本発明の第二形態の使用時の正面図である。
【図９】本発明の第二形態の折りたたみ途中の斜視図である。
【図１０】本発明の第二形態の折りたたみ途中の正面図である。
【図１１】本発明の第二形態の折りたたみ時の斜視図である。
【図１２】本発明の第二形態の折りたたみ時の正面図である。
【図１３】本発明の第三形態の使用時の斜視図である。
【図１４】本発明の第三形態の使用時のA−A線断面図である。
【図１５】本発明の第三形態の折りたたみ途中の斜視図である。
【図１６】本発明の第三形態の折りたたみ途中のB−B線断面図である。
【図１７】本発明の第三形態の折りたたみ時の斜視図である。
【図１８】本発明の第三形態の折りたたみ時のC−C線断面図である。
【図１９】本発明の第三形態の六面図であり、（ａ）は正面図、（ｂ）は上面図、（ｃ）は底面図、（ｄ）は左側面図、（ｅ）は右側面図、（ｆ）は背面図である。
【符号の説明】
【００３１】
１  第一形態の上面部
２  透明の板
３  第一形態の底面部
４  連結部
５１から５８  カメラ
５１  カメラ機能のシャッター部
５２  カメラ機能の表示モニター部
５３  カメラ機能の記憶装置の差込口
５４  カメラ機能の操作ボタン部
５５  カメラ機能の照明部
５６  カメラ機能のレンズ部
５７  カメラ機能の電池室
５８  カメラ機能の電源コード兼外部インターフェース
６  第二形態の上面部
７  第二形態の底面部
８  第三形態の上面部
９  第三形態の底面部
１０  書籍
【図１】
2014175923.tif 000003
【図２】
2014175923.tif 000004
【図３】
2014175923.tif 000005
【図４】
2014175923.tif 000006
【図５】
2014175923.tif 000007
【図６】
2014175923.tif 000008
【図７】
2014175923.tif 000009
【図８】
2014175923.tif 000010
【図９】
2014175923.tif 000011
【図１０】
2014175923.tif 000012
【図１１】
2014175923.tif 000013
【図１２】
2014175923.tif 000014
【図１３】
2014175923.tif 000015
【図１４】
2014175923.tif 000016
【図１５】
2014175923.tif 000017
【図１６】
2014175923.tif 000018
【図１７】
2014175923.tif 000019
【図１８】
2014175923.tif 000020
【図１９】
2014175923.tif 000021